(57)【要約】【課題】注射針の先端に手指を近づけずに着脱する。脱着の動作を簡単にする。紛失を防止する。【解決手段】筒部２の先端に取り付けられた注射針３を保護する注射針用キャップ４であって、筒部２の外周面にその軸線Ｌ方向に移動可能に装着すると共に、先端４ｃに注射針３を突出させる小孔４ａを設け、筒部２の後側に向けて移動させることで小孔４ａから注射針３を突出させると共に、筒部２の先端側に向けて移動させることで注射針３を収納するようにしている。【選択図】図１
2006043327.tif 000002
【特許請求の範囲】
【請求項１】
筒部の先端に取り付けられた注射針を保護する注射針用キャップにおいて、前記筒部の外周面にその軸線方向に移動可能に装着すると共に、先端に前記注射針を突出させる小孔を設け、前記筒部の後側に向けて移動させることで前記小孔から前記注射針を突出させると共に、前記筒部の先端側に向けて移動させることで前記注射針を収納することを特徴とする注射針用キャップ。
【請求項２】
前記注射針を収納した状態で前記筒部に係止する第１の係止手段を備えることを特徴とする請求項１記載の注射針用キャップ。
【請求項３】
前記第１の係止手段は、前記筒部からの外れを防止するストッパを備えることを特徴とする請求項２記載の注射針用キャップ。
【請求項４】
前記注射針を突出させた状態で前記筒部に係止する第２の係止手段を備えることを特徴とする請求項１から３のいずれか１つに記載の注射針用キャップ。
【発明の詳細な説明】
【技術分野】
【０００１】
本発明は、注射針を保護する注射針用キャップに関する。さらに詳しくは、本発明は注射針を取り付けた筒部への装着の仕方を改良した注射針用キャップに関するものである。
【背景技術】
【０００２】
注射器の注射針を保護するキャップは、シリンジ部に嵌め込む部分（基端部分）の直径を最大にし、先端部分に向かって細くなる略円錐形状を成している。このキャップは、注射針を覆うようにシリンジ部の先端に嵌め込んで装着されていた。そして、キャップを外す場合には、キャップをシリンジ部から引き抜くようにしていた。
【０００３】
ところで、注射器の使用後にキャップを装着する際、医療従事者が誤って使用後の注射針で手指を刺してしまうことがないように種々の提案がなされている。例えば、特開平９−２５３２０６号公報に開示されている注射針用キャップを図１１に示す。注射針用キャップ１０１の側面に隙間１０２を設け、注射針１０３をその隙間１０２から注射針用キャップ１０１の中に収納できるようにしている。かかる構成の注射針用キャップ１０１によれば、注射針１０３の先端を注射針用キャップ１０１を保持する手指に向けることがないので、医療従事者が誤って使用後の注射針１０３で指を刺してしまうことを防止することができる。
【０００４】
【特許文献１】特開平９−２５３２０６号
【発明の開示】
【発明が解決しようとする課題】
【０００５】
しかしながら、上記の注射針用キャップ１０１は注射器の使用時に注射器本体から外して分離するものであるため、キャップ装着時に注射針１０３の先端を手指に向けることはないとしても、外したキャップ１０１を装着する動作自体は必要である。また、キャップ１０１の取り外しや装着を片手で素早く行うのは困難である。また、外したキャップ１０１を床に落としたり紛失しないように気を付ける必要がある。さらに、キャップ装着時に注射針１０３の先端を手指に向けることはなくても、注射針１０３の先端に手指を近づける必要はある。
【０００６】
本発明は、注射針の先端に手指を近づけずに装着できる注射針用キャップを提供することを目的とする。また、本発明は、脱着の動作が簡単で、しかも紛失することがない注射針用キャップを提供することを目的とする。
【課題を解決するための手段】
【０００７】
上記目的を達成するために、請求項１記載の発明は、筒部の先端に取り付けられた注射針を保護する注射針用キャップにおいて、筒部の外周面にその軸線方向に移動可能に装着すると共に、先端に注射針を突出させる小孔を設け、筒部の後側に向けて移動させることで小孔から注射針を突出させると共に、筒部の先端側に向けて移動させることで注射針を収納するものである。
【０００８】
したがって、筒部に対して注射針用キャップをその軸線方向に移動させることで、注射針を露出させたり収納したりできる。このため、注射針の先端に手指を近づける動作がなくなる。また、キャップを筒部から分離することがない。
【０００９】
また、請求項２記載の注射針用キャップは、注射針を収納した状態で筒部に係止する第１の係止手段を備えるものである。したがって、外力を受けて注射針用キャップが動き、使用時以外に注射針が露出するのを防止することができる。
【００１０】
また、請求項３記載の注射針用キャップは、第１の係止手段が、筒部からの外れを防止するストッパを備えるものである。したがって、注射針用キャップが筒部から外れるのを防止することができる。
【００１１】
また、請求項４記載の注射針用キャップは、注射針を突出させた状態で筒部に係止する第２の係止手段を備えるものである。したがって、注射の最中に外力を受けてキャップが動くのを防止することができる。
【発明の効果】
【００１２】
しかして、請求項１記載の注射針用キャップでは、上述のように構成しているので、注射針を収納する際、注射針の先端に手指を近づけるような動作をしなくてすむ。このため、使用済みの注射針を誤って手指に刺してしまうことを完全に防止することができ、安全性をより一層向上させることができる。また、筒部に対して注射針用キャップを移動させるだけで注射針を露出させ又は収納することができるので、その操作が簡単であり、片手操作も容易である。また、注射針用キャップを筒部から分離しないので、キャップを紛失することがない。さらに、手指の保護のために別部品を追加するものではないので、部品点数の増加を抑えることができ、製造コストの増加を抑えることができる。
【００１３】
また、請求項２記載の注射針用キャップでは、注射針を収納した状態で筒部に係止する第１の係止手段を備えているので、外力を受けて注射針用キャップが動き、使用時以外に注射針が露出するのを防止することができる。このため、安全性をより一層向上させることができる。
【００１４】
また、請求項３記載の注射針用キャップでは、第１の係止手段が筒部からの外れを防止するストッパを備えているので、注射針用キャップが筒部から外れるのを防止することができる。このため、安全性をより一層向上させることができる。
【００１５】
さらに、請求項４記載の注射針用キャップでは、注射針を突出させた状態で筒部に係止する第２の係止手段を備えているので、注射の最中に外力を受けて注射針用キャップが動くのを防止することができる。このため、注射行為の妨げになるのを防止することができる。
【発明を実施するための最良の形態】
【００１６】
以下、本発明の構成を図面に示す最良の形態に基づいて詳細に説明する。
【００１７】
図１及び図２に、本発明を適用した注射針用キャップの実施形態の一例を示す。注射針用キャップ４は、例えば注射器１の筒部２であるシリンジ部（以下、シリンジ部２という）の先端に取り付けられた注射針３を保護するものである。注射針用キャップ４は、シリンジ部２の外周面にその軸線Ｌ方向に移動可能に装着される共に、先端４ｃに注射針３を突出させる小孔４ａを設け、シリンジ部２の後側に向けて移動させることで小孔４ａから注射針３を突出させる（図２）と共に、シリンジ部２の先端側に向けて移動させることで注射針３を収納する（図１）ものである。
【００１８】
注射針用キャップ（以下、単にキャップという）４は、例えば円筒形状を成しており、シリンジ部２の長さよりも若干短くなっている。キャップ４の基端には指をかけるフランジ４ｂが設けられている。キャップ４は、例えば樹脂製のもので、透明又は半透明になっている。キャップ４を透明又は半透明にすることで、キャップ４をシリンジ部２の後側に向けて移動させて注射針３を露出させた状態でも、シリンジ部２に付された目盛りを読み取ることができる。
【００１９】
キャップ４の先端４ｃに設けられた小孔４ａの直径は、注射針３の直径よりも若干大きくなっている。ただし、様々な種類の注射針３に対応できるように、使用する可能性のある注射針３のうち最も太いものにあわせて小孔４ａの直径を決定しても良い。このようにすることで、キャップ４の汎用性を向上させることができる。また、キャップ４の長さは、注射針３の長さよりも若干長くなっている。ただし、様々な種類の注射針３に対応できるように、使用する可能性のある注射針３のうち最も長いものにあわせてキャップ４の長さを決定しても良い。このようにすることで、キャップ４の汎用性を向上させることができる。
【００２０】
キャップ４は、ある程度の弾性を有している。このため、注射を行う場合、キャップ４を径方向に潰しながらシリンジ部２を握ることができる。ただし、キャップ４は細長い円筒形状を成しているため長手方向には十分な強度を有しており潰れ難い。このため、注射針３を収納している状態ではキャップ４が潰れて注射針３を露出させることはなく、注射針３をしっかりと覆うことができて安全である。
【００２１】
本実施形態のキャップ４は、注射針３を収納した状態でシリンジ部２に係止する第１の係止手段６と、注射針３を突出させた状態でシリンジ部２に係止する第２の係止手段１７を備えている。
【００２２】
第１の係止手段６は、キャップ４の内周面に設けられたキャップラッチ５と、シリンジ部２の外周面に設けられた針側シリンジ外ラッチ７及び針側シリンジ内ラッチ８より構成されている。針側シリンジ外ラッチ７は、シリンジ部２からの外れを防止するストッパでもある。針側シリンジ内ラッチ８の高さは、針側シリンジ外ラッチ７の高さよりも若干低くなっている。このため、キャップラッチ５は針側シリンジ外ラッチ７を乗り越えて移動することはできないが、針側シリンジ内ラッチ８を乗り越えて移動することは可能である。各ラッチ５，７，８の注射器１の長手方向に沿う断面は、例えば三角形状を成している。ただし、各ラッチ５，７，８の形状はこれに限るものではなく、例えば四角形や半円形等でも良い。
【００２３】
キャップラッチ５は、例えば図３に示すように、同一直径上の２箇所に設けられている。針側シリンジ外ラッチ７は、円周方向に沿って形成された凸部で、例えば図４に示すように、同一直径上の２箇所に切り欠き９が設けられている。キャップラッチ５は、切り欠き９を通ることで針側シリンジ外ラッチ７を通り抜けることができる（図５の矢印Ａ）。
【００２４】
針側シリンジ外ラッチ７と針側シリンジ内ラッチ８の間隔は、部分的に狭くなっている。図５に、針側シリンジ外ラッチ７と針側シリンジ内ラッチ８を平面的に展開して示す。針側シリンジ内ラッチ８は、例えば２つに分割されている（図６）。分割された各針側シリンジ内ラッチ８は針側シリンジ外ラッチ７に向けて斜めに形成されている。このため、シリンジ部２に対してキャップ４を捻り、図５に２点鎖線で示すように、針側シリンジ外ラッチ７と針側シリンジ内ラッチ８との間にキャップラッチ５を挟み込むことでキャップ４を固定することができる。この状態から、キャップ４を反対方向に捻ることで、各ラッチ７，８の間からキャップラッチ５を引き抜いてキャップ４の固定を解除できる。
【００２５】
なお、キャップ４の固定を解除する方向にキャップ４を捻ると、キャップラッチ５は分割された針側シリンジ内ラッチ８の端面に当接する。この位置ではキャップラッチ５は切り欠き９に対向しており、そのままキャップ４をシリンジ部２から引き抜いて取り外すことができる。
【００２６】
キャップラッチ５の針側シリンジ内ラッチ８側の側面５ａは、図５に示すように傾斜しており、キャップラッチ５は針側シリンジ外ラッチ７と針側シリンジ内ラッチ８の間に食い込むくさび形状を成している。
【００２７】
第２の係止手段１７は、キャップラッチ５と、シリンジ部２の外周面に設けられたピストン側シリンジ外ラッチ１０及びピストン側シリンジ内ラッチ１１より構成されている。即ち、キャップラッチ５は第１の係止手段６と第２の係止手段１７との共有である。ピストン側シリンジ内ラッチ１１の高さは、ピストン側シリンジ外ラッチ１０の高さよりも若干低くなっている。このため、キャップラッチ５はピストン側シリンジ外ラッチ１０を乗り越えて移動することはできないが、ピストン側内ラッチを乗り越えて移動することは可能である。各ラッチ１０、１１の注射器１の長手方向に沿う断面形状は、例えば三角形状を成している。ただし、各ラッチ１０、１１の形状はこれに限るものではなく、例えば四角形や半円形等でも良い。
【００２８】
ピストン側シリンジ外ラッチ１０及びピストン側シリンジ内ラッチ１１は、円周方向に沿って形成された凸部である。図７にピストン側シリンジ外ラッチ１０を示す。ピストン側シリンジ内ラッチ１１も高さを除いて同様の形状である。また、図８に、ピストン側シリンジ外ラッチ１０とピストン側シリンジ内ラッチ１１を平面的に展開して示す。ピストン側シリンジ外ラッチ１０とピストン側シリンジ内ラッチ１１の間隔は一定である。
【００２９】
キャップ４は、注射器１の製造時にシリンジ部２に取り付けられる。即ち、製造ラインにおいて、シリンジ部２にキャップ４が装着される。このとき、キャップラッチ５を針側シリンジ外ラッチ７の切り欠き９に通すことで、キャップラッチ５を針側シリンジ外ラッチ７と針側シリンジ内ラッチ８の間に移動させることができる。そして、キャップ４を捻り、針側シリンジ外ラッチ７と針側シリンジ内ラッチ８の間隔の狭い部分にキャップラッチ５を挟み込むことで、キャップ４をシリンジ部２に固定することができる。キャップ４をシリンジ部２に固定しているので、キャップ４を意図的に動かさなければ注射針３が露出することはない。
【００３０】
医療現場で注射器１を使用するためにキャップ４を外す場合には、キャップ４を注射器１の後側に向けて移動させれば良い。換言すると、キャップ４をより深く装着する方向に移動させれば良い。例えば、キャップ４のフランジ４ｂとシリンジ部２のフランジ２ａとを一緒に片手で挟み、握力を利用してキャップ４のフランジ４ｂをシリンジ部２のフランジ２ａに引き寄せるようにしてキャップ４を移動させる。キャップラッチ５が針側シリンジ内ラッチ８を乗り越えて移動する。そして、キャップラッチ５がピストン側シリンジ内ラッチ１１を乗り越えてピストン側シリンジ外ラッチ１０に当たるまでキャップ４を移動させる。各ラッチ５，８，１１の高さを適切に設計しておくことでラッチ５のラッチ８，１１の乗り越えが適切になされ、キャップ４を片手で素早く移動させることができる。キャップ４の移動に伴って小孔４ａから注射針３が突出するので、注射器１の使用が可能になる。
【００３１】
ピストン側シリンジ内ラッチ１１を乗り越えたキャップラッチ５は当該ピストン側シリンジ内ラッチ１１とピストン側シリンジ外ラッチ１０との間で保持されるので、キャップ４が位置保持される。したがって、注射器１の使用時にキャップ４がずれて邪魔になることはなく、通常の注射器１と同様に使用できる。
【００３２】
なお、薬剤瓶等から薬剤を直接吸入する場合には、キャップ装着状態のままでキャップ４の先端４ｃを薬剤瓶等の口蓋に押し付け、キャップ４を移動させながら注射針３を口蓋に刺し込むようにしても良い。
【００３３】
注射器１を使用した後、注射針３を収納するには、キャップ４を注射器１の先端側に向けて移動させれば良い。換言すると、キャップ４をその装着が浅くなる方向に移動させれば良い。例えば、シリンジ部２のフランジ２ａ付近を親指と人差し指の付け根部分で握り、親指と人差し指の指先でキャップ４のフランジ４ｂを押し出すようにしてキャップ４を移動させる。キャップラッチ５がピストン側シリンジ内ラッチ１１を乗り越えて移動する。そして、キャップラッチ５が針側シリンジ内ラッチ８を乗り越えて針側シリンジ外ラッチ７に当たるまでキャップ４を移動させる。各ラッチ５，８，１１の高さを適切に設計しておくことでラッチ５のラッチ１１，８の乗り越えが適切になされ、キャップ４を片手で素早く移動させることができる。キャップ４の移動に伴って小孔４ａから突出していた注射針３が引っ込みキャップ４内に収納される。そして、キャップ４を捻り、キャップラッチ５を針側シリンジ外ラッチ７と針側シリンジ内ラッチ８の間に挟み込むことで、注射針３を収納した状態でキャップ４を固定することができる。
【００３４】
本発明のキャップ４は、使い捨ての注射器１にも、繰り返し使用する注射器１にも適用することができる。そして、使い捨ての注射器１に適用する場合、注射器１と一緒にキャップ４も使い捨てにしても良いが、使い捨てにせずに繰り返し使用しても良い。また、繰り返し使用する注射器１に適用する場合、注射器１と一緒にキャップ４も繰り返し使用しても良いが、使い捨てにしても良い。
【００３５】
このように、本発明のキャップ４を着脱（注射針３の露出と収納）させる方向は、従来のキャップの着脱方向とは逆方向である。このため、注射針３の先端に手指を近づけることなく着脱を行うことができる。即ち、本発明のキャップ４は従来のキャップとは全く別の発想で着脱を行うものである。このため、使用済みの注射針３を誤って手指に刺してしまうことを完全に防止することができ、安全性をより一層向上させることができる。
【００３６】
また、キャップ４の着脱の操作は片手で素早く行うことができる簡単なものである。
【００３７】
また、キャップ４をシリンジ部２から外して分離することがないので、キャップ４の紛失を防止することができると共に、外したキャップ４の管理に気を取られることがなく、注射行為に集中することができる。
【００３８】
また、本発明の注射器１は部品点数を増加させるものではないので、製造コストの増加を抑えることができる。
【００３９】
なお、上述の形態は本発明の好適な形態の一例ではあるがこれに限定されるものではなく本発明の要旨を逸脱しない範囲において種々変形実施可能である。例えば上述の説明では、第１の係止手段６と第２の係止手段１７を備えていたが、これらの両方又はいずれか一方を省略しても良い。この場合、キャップ４とシリンジ部２との間に生じる摩擦力によって意図的に移動させる場合以外のキャップ４の移動を防止することが考えられる。また、キャップ４の先端４ｃの内面をシリンジ部２の先端に度当たりさせることで、第２の係止手段１７のピストン側シリンジ外ラッチ１０を不要にしても良い。
【００４０】
また、上述の説明では、キャップ４を樹脂製にしていたが、キャップ４の材料は樹脂に限るものではなく、例えばガラス等でも良い。
【００４１】
また、第２の係止手段１７をキャップ４の固定が可能な構造にしても良い。例えば、ピストン側シリンジ外ラッチ１０とピストン側シリンジ内ラッチ１１の間隔を部分的に狭くし、キャップ４を捻ることでキャップラッチ５を各ラッチ１０，１１の間隔の狭い部分に挟み込んでキャップ４を固定するようにしても良い。この場合、例えば各ラッチ１０，１１のいずれか一方を、上述の針側シリンジ内ラッチ８のように分割して斜めに形成することが考えられる。注射を行う場合、キャップ４ごとシリンジ部２を掴むことが考えられるが、第２の係止手段１７によってキャップ４を固定することでキャップ４のぐら付きを防止することができる。特に、キャップ４をガラス製にした場合等にはキャップ４を径方向に潰してシリンジ部２を掴むことが難しいので、キャップ４を固定してぐら付きを防止することが好ましい。
【００４２】
また、キャップ４の小孔４ａをシール等で塞いでおき、注射を行う時にシール等を剥がすようにしても良い。また、注射を行った後、注射針３を収納してからキャップ４の小孔４ａをシール等で塞ぐようにしても良い。
【００４３】
また、注射器を使用しない注射針に適用しても良い。注射器を使用しない注射針として、例えば点滴用の注射針に適用した例を図９に示す。点滴用の注射針１３は、筒部２の先端に注射針３が取り付けられ、後端には図示しないチューブが接続されている。この場合にも、筒部２に対してキャップ４をその装着を深くする方向に移動させることで、図９（ｂ）に示すようにキャップ４の小孔４ａから注射針３を突出させることができると共に、この状態からキャップ４をその装着を浅くする方向に移動させることで、図９（ａ）に示すようにキャップ４内に注射針３を収納することができる。なお、注射時には、筒体２とキャップ４を絆創膏１２を使用して人体に固定する。点滴用の注射針１３のキャップ４においても、図１のキャップ４と同様の効果を得ることができる。
【００４４】
さらに、注射器を使用しない注射針として、例えば翼付静注針に適用した例を図１０に示す。翼付静注針１４の筒部２である針固定部（以下、針固定部２という）の先端には注射針３が取り付けられ、後端には図示しないチューブが接続されている。キャップ４には翼部１５を通すスリット１６が形成されている。針固定部２に対してキャップ４をその装着を深くする方向に移動させることで、図１０（ｂ）に示すようにキャップ４の小孔４ａから注射針３を突出させることができると共に、この状態からキャップ４をその装着を浅くする方向に移動させることで、図１０（ａ）に示すようにキャップ４内に注射針３を収納することができる。翼付静注針１４のキャップ４においても、図１のキャップ４と同様の効果を得ることができる。
【００４５】
また、上述の説明では、キャップ４を透明又は半透明にしていたが、必ずしも透明でなくても良い。例えば注射器１に適用する場合には、キャップ４が透明でなくても、例えばスリット、孔等を設けておくことでシリンジ部２に付されている目盛りを読み取ることができるときには、キャップ４は透明又は半透明でなくても良い。また、例えば点滴用の注射針１３や翼付静注針１４に適用する場合等、筒部２の目盛りを読み取る必要がない場合には、キャップ４を透明又は半透明にしなくても良い。なお、キャップ４が透明又は半透明でなくても良い場合には、キャップ４の材料は、例えば金属等であっても良い。
【図面の簡単な説明】
【００４６】
【図１】本発明の注射針用キャップの第１の実施形態を示し、注射針を収納した状態を一部断面にして示す側面図である。
【図２】本発明の注射針用キャップの第１の実施形態を示し、注射針を露出した状態を一部断面にして示す側面図である。
【図３】図１のキャップラッチを示す断面図である。
【図４】図１の針側シリンジ外ラッチを示す断面図である。
【図５】図１の針側シリンジ外ラッチと針側シリンジ内ラッチとを展開して示す平面図である。
【図６】図１の針側シリンジ内ラッチを示す断面図である。
【図７】図１のピストン側シリンジ外ラッチを示す断面図である。
【図８】図１のピストン側シリンジ外ラッチとピストン側シリンジ内ラッチとを展開して示す平面図である。
【図９】本発明の注射針用キャップの第２の実施形態を示し、（ａ）は点滴用の注射針を収納した状態を一部断面にして示す側面図、（ｂ）は点滴用の注射針を露出させた状態を一部断面にして示す側面図である。
【図１０】本発明の注射針用キャップの第３の実施形態を示し、（ａ）は翼付静注針を収納した状態を一部断面にして示す側面図、（ｂ）は翼付静注針を露出させた状態を一部断面にして示す側面図である。
【図１１】従来の注射針用キャップを示す斜視図である。
【符号の説明】
【００４７】
２  シリンジ部（筒部）
３  注射針
４  キャップ
４ａ  小孔
４ｃ  先端
５，７，８，１０，１１  ラッチ
６  第１の係止手段
１７  第２の係止手段
Ｌ  筒部の軸線
【図１】
2006043327.tif 000003
【図２】
2006043327.tif 000004
【図３】
2006043327.tif 000005
【図４】
2006043327.tif 000006
【図５】
2006043327.tif 000007
【図６】
2006043327.tif 000008
【図７】
2006043327.tif 000009
【図８】
2006043327.tif 000010
【図９】
2006043327.tif 000011
【図１０】
2006043327.tif 000012
【図１１】
2006043327.tif 000013